(57)【要約】【課題】文字スクロールの応答速度を向上することができる携帯電子機器及び文字表示方法を提供すること。【解決手段】携帯電話装置１は、ＬＣＤ表示部２１と、スクロール用の第１のドットフォントと、静止用の第２のドットフォントを具備する。ＬＣＤ表示部２１は、画面のスクロール表示が可能である。文字をＬＣＤ表示部２１に表示する際、画面がスクロール表示される場合には文字を第１のドットフォントを用いて表示し、スクロール表示が終了して画面が静止する場合には第１のドットフォントを第２のドットフォントに変えて文字を表示する。【選択図】図４
2012079323.tif 000002
【特許請求の範囲】
【請求項１】
画面のスクロール表示が可能な表示部を有し、
文字を前記表示部に表示する際、前記画面がスクロール表示される場合には前記文字を第１のドットフォントを用いて表示し、前記スクロール表示が終了して前記画面が静止する場合には前記第１のドットフォントを第２のドットフォントに変えて前記文字を表示する
携帯電子機器。
【請求項２】
前記第１のドットフォントは、前記第２のドットフォントと比較して、文字の端の少なくとも１ドット分の領域の配色が異なり、他の領域は同じ配色である
請求項１に記載の携帯電子機器。
【請求項３】
画面のスクロール表示が可能な表示部を有する携帯電子機器における文字表示方法であって、
前記画面がスクロール表示される場合には文字を第１のドットフォントを用いて前記表示部に表示するステップと、
前記スクロール表示が終了して前記画面が静止する場合には前記第１のドットフォントを第２のドットフォントに変えて前記文字を前記表示部に表示するステップと
を有する文字表示方法。
【発明の詳細な説明】
【技術分野】
【０００１】
本発明は、画像等を表示する表示部を有する携帯電子機器及び携帯電子機器における文字表示方法に関する。
【背景技術】
【０００２】
現在の携帯電子機器の表示部として、一般的にＬＣＤ（Ｌｉｑｕｉｄ  Ｃｒｙｓｔａｌ  Ｄｉｓｐｌａｙ）が採用されている。また、ＬＣＤは、静止画のみならず、動画像も表示対象としている。
【０００３】
携帯性を損なわないために、携帯電子機器に用いられるＬＣＤの大きさには限界がある。したがって、携帯電子機器は、一定以上の大きさの画像や文字列等の表示を行う場合には部分表示を行う。その後、操作部（例えば、十字キー）が所定方向（例えば、上方向、下方向、左方向又は右方向）に操作されると、携帯電子機器は、他の部分の表示を行う。このような表示処理を、スクロールと呼ぶ。
【０００４】
しかし、ＬＣＤは、応答速度が遅いため、スクロール機能によりスクロールさせた文字等が尾を引いたように表示されたり、チラついたりする。このような現象は、近年の広視野角化のために採用されているＶＡ（Ｖｅｒｔｉｃａｌ  Ａｌｉｇｎｍｅｎｔ）方式のＬＣＤや、ＩＰＳ（Ｉｎ−Ｐｌａｎｅ−Ｓｗｉｔｃｈｉｎｇ）方式のＬＣＤにおいて、顕著となっている。
【０００５】
そこで、ドットスクロール表示を行うときに、滑らかなスクロールを行うために、基準電圧を切り替えることで、ドットスクロール表示の応答速度を高める方法が開示されている（特許文献１を参照）。これはオーバードライブ処理方法と呼ばれ、一般的には応答速度の軽減のために用いられる。
【０００６】
オーバードライブ処理方法とは、前フレームから現フレームへのデータ変化方向が正方向（立ち上がり）の場合、通常よりも高い印加電圧を液晶に印加し、一方、前フレームから現フレームへのデータ変化方向が負方向（立ち下り）の場合、通常よりも低い印加電圧を液晶に印加することにより、応答時間を短くして表示を滑らかにする方法である。ＬＣＤ表示部は、このオーバードライブ処理方法により、動画像の応答速度を高めることができ、動画像の再生時に生じる残像を排除することができる。
【先行技術文献】
【特許文献】
【０００７】
【特許文献１】特開２００６−５４５８１号公報
【発明の概要】
【発明が解決しようとする課題】
【０００８】
しかしながら、オーバードライブ処理には、大規模かつ高価なドライバＩＣ等が必要となる。したがって、筐体自身が小型化傾向にある携帯電子機器に対しては、オーバードライブ処理を設けることなく文字スクロールの応答速度を向上することが望まれていた。
【０００９】
そこで、本発明は、上述のような課題に鑑みてなされたものであり、オーバードライブ処理を実行することなく文字スクロールの応答速度を向上することができる携帯電子機器を提供することにある。
【課題を解決するための手段】
【００１０】
本発明に係る携帯電子機器は、上記課題を解決するために、画面のスクロール表示が可能な表示部を有し、文字を前記表示部に表示する際、前記画面がスクロール表示される場合には前記文字を第１のドットフォントを用いて表示し、前記スクロール表示が終了して前記画面が静止する場合には前記第１のドットフォントを第２のドットフォントに変えて前記文字を表示する構成である。
【００１１】
また、本発明では、前記第１のドットフォントは、前記第２のドットフォントと比較して、文字の端の少なくとも１ドット分の領域の配色が異なり、他の領域は同じ配色である構成でも良い。
【００１２】
本発明に係る文字表示方法は、上記課題を解決するために、画面のスクロール表示が可能な表示部を有する携帯電子機器における文字表示方法であって、前記画面がスクロール表示される場合には文字を第１のドットフォントを用いて前記表示部に表示するステップと、前記スクロール表示が終了して前記画面が静止する場合には前記第１のドットフォントを第２のドットフォントに変えて前記文字を前記表示部に表示するステップとを有する構成である。
【発明の効果】
【００１３】
本発明によれば、文字スクロールの応答速度を向上させることができる。
【図面の簡単な説明】
【００１４】
【図１】本発明に係る携帯電話装置の外観を示す斜視図である。
【図２】本発明に係る携帯電話装置の機能を示すブロック図である。
【図３】（ａ）は、静止用のフォントを示し、（ｂ）は、スクロール用のフォントを示す図である。
【図４】本発明に係るスクロール制御についての説明に供するフローチャートである。
【発明を実施するための形態】
【００１５】
図１に示すように、本発明に係る携帯電子機器の一である携帯電話装置１は、操作部側筐体部２と表示部側筐体部３とを有する。
【００１６】
操作部側筐体部２の表面部１０は、操作部１１と、マイク１２とを有する。操作部１１は、機能設定操作ボタン１３と、入力操作ボタン１４と、決定操作ボタン１５とを有する。機能設定操作ボタン１３は、各種設定や電話帳機能やメール機能等の各種機能を作動させる。入力操作ボタン１４は、電話番号の数字やメール等の文字等を入力する。決定操作ボタン１５は、各種操作における決定やスクロール等を行う。マイク１２は、携帯電話装置１の使用者が通話時に発した音声を入力する。
【００１７】
表示部側筐体部３は、表面部２０に、各種情報を表示するためのＬＣＤ表示部２１と、通話の相手側の音声を出力するスピーカ２２とを有する。
【００１８】
操作部側筐体部２の上端部と表示部側筐体部３の下端部とは、ヒンジ機構４を介して連結されている。ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００１９】
図２に示すように、携帯電話装置１は操作部と表示部とを有する。操作部は、操作部１１と、マイク１２と、メインアンテナ４０と、ＲＦ回路部４１と、ＬＣＤ制御部４２と、音声処理部４３と、メモリ４４と、ＣＰＵ４５とを有する。表示部は、ＬＣＤ表示部２１と、スピーカ２２と、ドライバＩＣ２３とを有する。
【００２０】
メインアンテナ４０は、所定の使用周波数帯（例えば、８００ＭＨｚ）で、公衆通信網に接続された基地局等の外部装置と通信を行う。本実施形態では、所定の使用周波数帯として、８００ＭＨｚとしたが、これ以外の周波数帯であっても良い。メインアンテナ４０は、デュアルバンドに対応し、所定の使用周波数帯の他に、他の使用周波数帯（例えば、２ＧＨｚ）に対応していても良い。
【００２１】
ＲＦ回路部４１は、メインアンテナ４０によって基地局等から受信した信号を復調処理し、処理後の信号をＣＰＵ４５に供給する。また、ＲＦ回路部４１は、ＣＰＵ４５から供給された信号を変調処理し、メインアンテナ４０を介して外部装置（基地局）に送信する。
【００２２】
メインアンテナ４０及びＲＦ回路部４１は、ＣＰＵ４５の制御及び操作部１１による操作入力により、基地局を介して公衆通信網上の所定のサーバとの通信を行うことも可能である。
【００２３】
ＬＣＤ制御部４２は、ＣＰＵ４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１に出力する。なお、画像データには、メインアンテナ４０及びＲＦ回路部４１により所定のサーバ装置から取得したＷｅｂページ画面等の画像データも含まれている。
【００２４】
音声処理部４３は、ＣＰＵ４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２５】
また、音声処理部４３は、ＣＰＵ４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２６】
メモリ４４には、静止用のフォントと、当該静止用のフォントに対応するスクロール用のフォントとが格納されている。両フォントは、ＬＣＤ表示部２１に表示される画像に含まれるフォントである。
【００２７】
スクロール用のフォントは、文の端を除き、基本的に、同じ文字に対応する静止用のフォントに使用されている色と同じ色調を有するフォントである。ここで、文字端とは、文字の端の少なくとも１ドット分の領域を言う。文字端の配色は、静止用のフォントに使用されている色と比較して、濃いあるいは淡い色調に調整されている。濃い色調とは、例えば、静止用のフォントに使用されている色及び背景に使用されている色と異なる色である。淡い色調とは、例えば、静止用のフォントに使用されている色と背景に使用されている色との中間の色である。また、特にスクロール方向における先方側の端は濃い色調、後方側の端は淡い色調としている。
【００２８】
スクロール用のフォントの一例について、アルファベットの「Ａ」を説明する。図３Ａに示した静止用のフォント及び図３Ｂに示したスクロール用のフォント１００，１００’は、基本的には同じ色の文字である。図３Ａに示すように、文字におけるスクロール方向の先方側に該当する端の少なくとも１ドット分の領域（先方側領域１０１）の配色が、他の部分より濃い色調、すなわち背景に使用されている色と異なる色調に調整されている。また、文字におけるスクロール方向の後方側に該当する端の少なくとも１ドット分の領域（後方側領域１０２）の配色が、他の部分より淡い色調、すなわち背景に使用されている色と近似する色調に調整されている。さらに詳しくは、「濃い色調」とは、例えば、フォントに使用される色の階調値を増加させる等して背景色の階調値から遠ざけた色調を指す。「淡い色調」とは、例えば、フォントに使用される色の階調値を減少させる等して背景色の階調値に近づけた色調を指している。なお、このような濃淡の関係は、背景色の色調の方がフォントの色調よりも濃い場合においては、反転する。
【００２９】
ＬＣＤ表示部２１に表示される画像が上方向、下方向、左方向及び右方向にスクロールされるため、各方向に対応したスクロール用のフォントがある。すなわち、少なくとも静止画用のフォント１種類に加えて、４種類のスクロール用のフォントが用意されている。また、背景に使用されている色と比較して濃い色調に調整されたスクロール用のフォントと、背景に使用されている色と比較して淡い色調に調整されたスクロール用のフォントがある。このように、スクロール用の文字フォント（以下、スクロール用のフォントと言う。）は、スクロール方向だけではなく、背景色と文字色との組み合わせ関係ごとの種類を有することが望ましい。
【００３０】
メモリ４４は、これら全てのスクロール用のフォントを格納する。なお、静止用のフォント及びスクロール用のフォントは、例えば、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードにおける文字コード一つずつにそれぞれ対応付けられている。
【００３１】
ＣＰＵ４５は、携帯電話装置１の全体を制御しており、特に、ＲＦ回路部４１、ＬＣＤ制御部４２、音声処理部４３及びカメラ２４に対して所定の制御を行う。
【００３２】
特に、ＣＰＵ４５は、文字を含む画面に関する情報を、ＲＦ回路部４１を介して他のサーバ等から取得したり、操作部１１の操作等により自身が生成したりする。表示すべき画面がＷｅｂページの場合には、当該サーバから取得するＨＴＭＬ（ＨｙｐｅｒＴｅｘｔ  Ｍａｒｋｕｐ  Ｌａｎｇｕａｇｅ）等により記述されるＷｅｂページの描画情報から、文字コードと背景色を指定するコードを抽出する。ＣＰＵ４５自身で表示画面を生成する際には、そのときの動作中の機能等に基づいて、メモリ４４から背景色を特定するとともに、表示すべき文字の文字コードを抽出する。
【００３３】
ＣＰＵ４５は、取得した文字コードによりメモリ４４を検索してフォントを特定し、特定したフォントによって背景上に文字を描画するようＬＣＤ表示部２１を制御する。
【００３４】
また、ＣＰＵ４５は、ＬＣＤ表示部２１に対してＷｅｂページ等一定以上の画面の表示を行う場合には、部分表示を行うように制御する。そして、ＣＰＵ４５は、操作部１１が所定方向（例えば、上方向、下方向、左方向又は右方向）に所定時間以上の押下操作が行われたときに、既に表示されている部分を所定方向と反対側に移動させるとともに所定方向における未表示部分の表示を行う、いわゆるスクロール制御を行う。
【００３５】
既にＬＣＤ表示部２１によりＷｅｂページ等の画面が表示されている状態における、ＣＰＵ４５が行うスクロール制御の流れについて、図４に示すフローチャートを参照して説明する。
【００３６】
ステップＳ１において、ＣＰＵ４５は、操作部１１に対して所定の操作が行われたかどうか、すなわちスクロールが発生したかどうかを判定する。具体的には、ＣＰＵ４５は、ＬＣＤ表示部２１に画面が表示されている状態で、操作部１１の方向操作キー（十字キー）が一定時間以上長く押圧操作されているか否かにより判定する。操作部１１に対して所定の操作が行われた場合には、ステップＳ２に進む。
【００３７】
ステップＳ２において、ＣＰＵ４５は、スクロール方向を特定する。ＣＰＵ４５は、ステップＳ１の工程により操作された方向に基づいてスクロール方向を特定する。
【００３８】
ステップＳ３において、ＣＰＵ４５は、ＬＣＤ表示部２１に表示されている画面内に静止用のフォントが含まれているか否かを判定する。既に描画している状態の画面の情報は、ＬＣＤ制御部４２を参照することにより判断できる。例えば、ＣＰＵ４５は、直前に描画指示したＨＴＭＬ等の描画情報を参照し、当該ＨＴＭＬ情報内にＡＳＣＩＩコードが含まれているかどうかを判定する。そして、ＣＰＵ４５が、このＬＣＤ制御部４２により描画している画面内にＡＳＣＩＩコード（静止用のフォント）が含まれていると判断した場合には、その文字コードを特定するとともにステップＳ４に進む。
【００３９】
ステップＳ４において、ＣＰＵ４５は、静止用フォントに配されている色と、背景に使用されている色を検出する。
【００４０】
ステップＳ５において、ＣＰＵ４５は、静止用のフォントをスクロール用のフォントに置換するように制御する。
【００４１】
具体的には、ＣＰＵ４５は、特定された文字コードと、ステップＳ４の工程により検出した静止用のフォントに使用されている色と、背景に使用されている色と、ステップＳ２の工程により特定したスクロール方向とにより、スクロール用のフォントを決定する。つまり、スクロール方向に対応して前述した濃い色調及び淡い色調を一部に有し、同じ文字コードに対応するスクロール用のフォントを、メモリ４４から検索して選択する。そして、ＣＰＵ４５は、ＬＣＤ制御部４２において、静止用のフォントを同じ文字コードを有するスクロール用のフォントに置換した画面を生成するように制御する。
【００４２】
ステップＳ６において、ＬＣＤ制御部４２は、スクロール用のフォントに置換した画面に関する画像データをドライバＩＣ２３に出力する。ＬＣＤ制御部４２は、このとき、フォント以外の情報に関しては特に置換しない。
【００４３】
ステップＳ７において、ドライバＩＣ２３は、ＬＣＤ制御部４２から供給された画像データをフレームメモリに蓄え、所定のタイミングでＬＣＤ表示部２１に出力する。
【００４４】
ステップＳ８において、ＣＰＵ４５は、スクロールが終了したかどうかを判定する。具体的には、ＣＰＵ４５は、操作部１１の方向操作キーの押圧操作が解除されたか否かにより判定する。操作部１１の方向操作キーの押圧操作が解除された場合には、ステップＳ９に進み、操作部１１の方向操作キーの押圧操作が解除されていない場合には、ステップＳ５乃至ステップＳ７を繰り返す。
【００４５】
ステップＳ９において、ＣＰＵ４５は、ＬＣＤ表示部２１に表示されているスクロール用のフォントと同一の文字コードに対応する静止用のフォントをメモリ４４から読み出す。そして、ＬＣＤ制御部４２において、スクロール用のフォントを静止用のフォントに置換するように制御する。つまり、ＣＰＵ４５は、スクロールが終了すると、スクロール発生前のフォントに戻す。
【００４６】
ステップＳ１０において、ＬＣＤ制御部４２は、画像データをドライバＩＣ２３に出力する。
【００４７】
ステップＳ１１において、ドライバＩＣ２３は、ＬＣＤ制御部４２から供給された画像データをフレームメモリに蓄え、所定のタイミングでＬＣＤ表示部２１に出力する。
【００４８】
このようにして、本実施形態に係る携帯電話装置１は、スクロール発生時において、静止用のフォントからスクロール用のフォントに置換する。したがって、オーバードライブ処理を実行する専用の処理回路を備えることなく、スクロール時のチラつきや尾を引いたような表示を低減させることができる。また、コストを抑えることも可能である。
【００４９】
また、本実施形態に係る携帯電話装置１は、スクロール時のチラつきや尾を引いたような表示を低減させる特殊効果を用いている。この特殊効果をスクロールに係る部分のみに与え、スクロールに係らない他の部分（例えば、画像部分）には影響を与えることが無いので、ＬＣＤ表示部２１全体として、見やすい表示を提供することができる。さらに、本実施形態において行われる処理は簡易な処理であるため、ＣＰＵ４５の負荷が小さく、スクロール速度の極端な低下を避けることができる。
【００５０】
なお、本実施形態においては、予めメモリ４４に各方向のスクロール用のフォントが格納されているものとして説明したが、これに限られない。例えば、フォントのスクロール時にチラつきや尾を引いたような表示を低減させられれば良く、静止用のフォントを加工等することにより実現しても良い。具体的には、スクロール方向と背景の色に基づいて、静止用のフォントの端の少なくとも１ドット分の領域の階調値が規定されている所定のルックアップテーブルを予めメモリ４４に格納しておき、スクロールの発生時において、静止用のフォントをルックアップテーブルを参照して加工して置き換える処理を行っても良い。すなわち、ルックアップテーブルには、静止用のフォントを、スクロールの方向に対してエッジを強調する処理を行ったり、また、静止用のフォントの端の少なくとも１ドット分の領域とそれ以外の領域（背景色等）に対して視覚的には認識が困難な中間の階調差を持たせたりする。そして、スクロールの発生時において、スクロール方向と背景の色に基づいて、ルックアップテーブルを参照し、静止用のフォントの端領域を所定の階調値に変更したフォントを生成して置き換える処理を行っても良い。
【００５１】
本実施形態では、携帯電子機器の一例である携帯電話装置１について説明を行ったが、本発明はこれに限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００５２】
本実施形態においては、携帯電子機器の一例である携帯電話装置として折り畳み式の携帯電話装置を示した。しかし、本発明に係る携帯電話装置はこれに限られない。例えば、両筐体を重ね合わせた状態から一方の筐体を一方向にスライドさせるようにしたスライド式の携帯電話装置や、重ね合せ方向に沿う軸線を中心に一方の筐体を回転させるようにした回転式（ターンタイプ）の携帯電話装置や、操作部と表示部とが一つの筐体に配置され、連結部を有さない形式（ストレートタイプ）の携帯電話装置でも良い。
【００５３】
また、一実施形態として、ＨＴＭＬ及びＡＳＣＩＩコードを用いたＷｅｂページの表示を例に説明したが、これに限るものではない。Ｗｅｂページの場合にはＨＤＭＬ（Ｈａｎｄｈｅｌｄ  Ｄｅｖｉｃｅ  Ｍａｒｋｕｐ  Ｌａｎｇｕａｇｅ）やＸＭＬ（ｅＸｔｅｎｓｉｂｌｅ  Ｍａｒｋｕｐ  Ｌａｎｇｕａｇｅ）等の形式で記述されるものであっても、同様である。また、Ｗｅｂページの表示以外、例えば送受信したメールや、機能メニューの表示においても実施可能である。
【符号の説明】
【００５４】
１  携帯電話装置
２  操作部側筐体部
３  表示部側筐体部
４  ヒンジ機構
１１  操作部
２１  ＬＣＤ表示部
２３  ドライバＩＣ
４０  メインアンテナ
４１  ＲＦ回路部
４２  ＬＣＤ制御部
４３  音声処理部
４４  メモリ
４５  ＣＰＵ
【図１】
2012079323.tif 000003
【図２】
2012079323.tif 000004
【図３】
2012079323.tif 000005
【図４】
2012079323.tif 000006